(57)【要約】【課題】位置情報等の情報を送信する情報送信装置において、送信情報の真正性を確認する情報送信装置の送信情報確認方法、及びそれに用いる検証装置、情報送信装置及び送信情報確認システムを提供することを目的とする。【解決手段】情報送信装置が送信する送信情報の真正性を確認する送信情報確認方法であって、情報送信装置の物理的設置状態を計測し、情報送信装置の所定の設置計画と計測した物理的設置状態とを照合し、情報送信装置が設置計画に該当する送信情報を送信していることを確認した上で、情報送信装置に送信情報の送信を許可するように構成する。【選択図】  図１
2017033393.tif 000002
【特許請求の範囲】
【請求項１】
情報送信装置が送信する送信情報の真正性を確認する送信情報確認方法であって、
前記情報送信装置の物理的設置状態を計測し、
前記情報送信装置の所定の設置計画と計測した前記物理的設置状態とを照合し、
前記情報送信装置が前記設置計画に該当する前記送信情報を送信していることを確認した上で、前記情報送信装置に前記送信情報の送信を許可することを特徴とする送信情報確認方法。
【請求項２】
情報送信装置が送信する送信情報の真正性を確認する検証装置であって、
前記情報送信装置の物理的設置状態を計測する物理計測部と、
前記情報送信装置から当該情報送信装置の設置計画を受信する設置計画受信部と、
前記物理計測部で計測した前記物理的設置状態と前記設置計画受信部が受信した当該情報送信装置の設置計画とを照合する情報処理部を有することを特徴とする検証装置。
【請求項３】
請求項２に記載の検証装置であって、
前記情報送信装置は位置情報送信装置であり、
前記送信情報は位置情報であり、
前記物理的設置状態は設置位置であり、
前記物理計測部は前記位置情報送信装置の設置位置を計測し、
前記設置計画受信部は前記位置情報送信装置から当該位置情報送信装置の位置情報を受信し、
前記情報処理部は、前記物理計測部で計測した前記位置情報送信装置の設置位置と前記設置計画受信部が受信した当該位置情報送信装置の位置情報とを照合することを特徴とする検証装置。
【請求項４】
請求項２に記載の検証装置であって、
前記情報送信装置はウェアラブル端末装置であり、
前記送信情報は計測値であり、
前記物理的設置状態は装着状態であり、
前記物理計測部は前記ウェアラブル端末装置の装着状態を計測し、
前記設置計画受信部は前記ウェアラブル端末装置から当該ウェアラブル端末装置の装着状態を受信し、
前記情報処理部は、前記物理計測部で計測した前記ウェアラブル端末装置の装着状態と前記設置計画受信部が受信した当該ウェアラブル端末装置の装着状態とを照合することを特徴とする検証装置。
【請求項５】
請求項２に記載の検証装置であって、
前記情報送信装置はＲＦＩＤ装置であり、
前記送信情報はＩＤ情報であり、
前記物理的設置状態はＩＤ対象との連結状態であり、
前記物理計測部は前記ＲＦＩＤ装置のＩＤ対象との連結状態を計測し、
前記設置計画受信部は前記ＲＦＩＤ装置から当該ＲＦＩＤ装置のＩＤ対象との連結状態を受信し、
前記情報処理部は、前記物理計測部で計測した前記ＲＦＩＤ装置のＩＤ対象との連結状態と前記設置計画受信部が受信した当該ＲＦＩＤ装置のＩＤ対象との連結状態とを照合することを特徴とする検証装置。
【請求項６】
情報送信装置と、該情報送信装置が送信する送信情報の真正性を確認する検証装置と、前記情報送信装置に設定情報を送信する設定装置を有する送信情報確認システムに用いられる情報送信装置であって、
前記検証装置に当該情報送信装置の設置計画を送信する設置計画送信部と、
前記検証装置と機器認証情報を送受信し、前記設定装置から設定情報を受信する無線通信部と、
前記無線通信部で受信した設定情報が前記送信情報を送信することを許可する許可通知であるかを判断する情報処理部と、
前記設定情報が前記許可通知の場合に前記送信情報を送信するように制御する制御部を有することを特徴とする情報送信装置。
【請求項７】
請求項６に記載の情報送信装置であって、
前記情報送信装置は位置情報送信装置であり、
前記送信情報は位置情報であり、
前記設置計画送信部は、位置情報送信部であり、前記検証装置に当該位置情報送信装置の位置情報を送信することを特徴とする情報送信装置。
【請求項８】
請求項６に記載の情報送信装置であって、
前記情報送信装置はウェアラブル端末装置であり、
前記送信情報は計測値であり、
前記設置計画送信部は、計測値送信部であり、前記検証装置に当該ウェアラブル端末装置の計測値を送信することを特徴とする情報送信装置。
【請求項９】
請求項６に記載の情報送信装置であって、
前記情報送信装置はＲＦＩＤ装置であり、
前記送信情報はＩＤ情報であり、
前記設置計画送信部は、ＩＤ情報送信部であり、前記検証装置に当該ＲＦＩＤ装置のＩＤ情報を送信することを特徴とする情報送信装置。
【請求項１０】
情報送信装置と、該情報送信装置が送信する送信情報の真正性を確認する検証装置と、前記情報送信装置に設定情報を送信する設定装置と、管理サーバを有する送信情報確認システムであって、
前記検証装置は、前記情報送信装置の物理的設置状態を計測する物理計測部と、前記情報送信装置から当該情報送信装置の設置計画を受信する設置計画受信部と、前記物理計測部で計測した前記物理的設置状態と前記設置計画受信部が受信した当該情報送信装置の設置計画とを照合する情報処理部と、前記管理サーバとの通信を行う通信部を有し、
前記情報送信装置は、前記検証装置に当該情報送信装置の設置計画を送信する設置計画送信部と、前記検証装置と機器認証情報を送受信し、前記設定装置から設定情報を受信する無線通信部と、前記無線通信部で受信した設定情報が前記送信情報を送信することを許可する許可通知であるかを判断する情報処理部と、前記設定情報が前記許可通知の場合に前記送信情報を送信するように制御する制御部を有し、
前記管理サーバは、前記検証装置の照合結果を前記通信部を介して受信し、該照合結果を基に前記設定装置を介して前記設定情報により前記情報送信装置から前記送信情報を送信することを許可する許可通知を送信することを特徴とする送信情報確認システム。
【請求項１１】
請求項１０に記載の送信情報確認システムであって、
前記情報送信装置は位置情報送信装置であり、
前記送信情報は位置情報であり、
前記物理的設置状態は設置位置であり、
前記物理計測部は前記位置情報送信装置の設置位置を計測し、
前記設置計画受信部は前記位置情報送信装置から当該位置情報送信装置の位置情報を受信し、
前記情報処理部は、前記物理計測部で計測した前記位置情報送信装置の設置位置と前記設置計画受信部が受信した当該位置情報送信装置の位置情報とを照合し、
前記設置計画送信部は、位置情報送信部であり、前記検証装置に当該位置情報送信装置の位置情報を送信することを特徴とする送信情報確認システム。
【請求項１２】
請求項１０に記載の送信情報確認システムであって、
前記情報送信装置はウェアラブル端末装置であり、
前記送信情報は計測値であり、
前記物理的設置状態は装着状態であり、
前記物理計測部は前記ウェアラブル端末装置の装着状態を計測し、
前記設置計画受信部は前記ウェアラブル端末装置から当該ウェアラブル端末装置の装着状態を受信し、
前記情報処理部は、前記物理計測部で計測した前記ウェアラブル端末装置の装着状態と前記設置計画受信部が受信した当該ウェアラブル端末装置の装着状態とを照合し、
前記設置計画送信部は、計測値送信部であり、前記検証装置に当該ウェアラブル端末装置の計測値を送信することを特徴とする送信情報確認システム。
【請求項１３】
請求項１０に記載の送信情報確認システムであって、
前記情報送信装置はＲＦＩＤ装置であり、
前記送信情報はＩＤ情報であり、
前記物理的設置状態はＩＤ対象との連結状態であり、
前記物理計測部は、前記ＲＦＩＤ装置のＩＤ対象との連結状態を計測し、
前記設置計画受信部は前記ＲＦＩＤ装置から当該ＲＦＩＤ装置のＩＤ対象との連結状態を受信し、
前記情報処理部は、前記物理計測部で計測した前記ＲＦＩＤ装置のＩＤ対象との連結状態と前記設置計画受信部が受信した当該ＲＦＩＤ装置のＩＤ対象との連結状態とを照合し、
前記設置計画送信部は、ＩＤ情報送信部であり、前記検証装置に当該ＲＦＩＤ装置のＩＤ情報を送信することを特徴とする送信情報確認システム。
【発明の詳細な説明】
【技術分野】
【０００１】
本発明は、情報送信装置に係り、特に、情報送信装置の送信情報確認に関する。
【背景技術】
【０００２】
情報送信装置として、例えば、位置情報を送信する位置情報送信装置がある。
【０００３】
この位置情報送信装置に用いられる測位システムとして、全地球測位システム（Ｇｌｏｂａｌ ＰｏｓｉｔｉｏｎｉｎｇＳｙｓｔｅｍ  以下、ＧＰＳと呼ぶ）が広く用いられている。これは地球の周回軌道を巡る衛星から送信されるＧＰＳ測位信号を、ＧＰＳ受信機が受信し必要な計算をすることで、ＧＰＳ受信機の測位を行うものである。ＧＰＳは衛星からのＧＰＳ測位信号を用いるため、屋内での測位ができないという問題がある。
【０００４】
一方、屋内測位システム（Ｉｎｄｏｏｒ Ｍｅｓｓａｇｉｎｇ Ｓｙｓｔｅｍ  以下、ＩＭＥＳと呼ぶ）は、屋内での測位を可能とする測位システムである。ＩＭＥＳ送信機は、位置情報そのものを送信するため、ＩＭＥＳ受信機は、ＧＰＳ測位の際に必要となる計算なしに測位が可能である。
【０００５】
ＧＰＳを補完する屋内での測位システムを構成する位置情報送信装置に関する背景技術として、例えば、特開２０１４−２０７５４９号公報（特許文献１）がある。特許文献１には、位置情報送信装置に対し、認証機関の認証を得た設置情報を登録することで、不正な位置情報発信を抑制する技術が開示されている。
【先行技術文献】
【特許文献】
【０００６】
【特許文献１】特開２０１４−２０７５４９号公報
【発明の概要】
【発明が解決しようとする課題】
【０００７】
上記の特許文献１では、送信機から送信される位置情報に基づき、受信機での測位を容易化する技術、及び、位置情報送信装置に対し、認証機関の認証を得た設置情報を登録する技術が提供されている。しかしながら、認証機関の認証を得た設置情報が登録された位置情報送信装置が、当該設置位置に設置されたことを確認する技術手段が開示されておらず、管理主体が、最終的な設置状態を技術的に把握するプロセスは含まれていない。従って、送信される位置情報の真正性を確認できないという問題がある。
【０００８】
本発明は、上記に鑑み、位置情報等の情報を送信する情報送信装置において、送信情報の真正性を確認する情報送信装置の送信情報確認方法、及びそれに用いる検証装置、情報送信装置及び送信情報確認システムを提供することを目的とする。
【課題を解決するための手段】
【０００９】
本発明は、上記課題を解決するためになされたものであり、その一例を挙げるならば、情報送信装置が送信する送信情報の真正性を確認する送信情報確認方法であって、情報送信装置の物理的設置状態を計測し、情報送信装置の所定の設置計画と計測した物理的設置状態とを照合し、情報送信装置が設置計画に該当する送信情報を送信していることを確認した上で、情報送信装置に送信情報の送信を許可するように構成する。
【発明の効果】
【００１０】
本発明によれば、送信情報の真正性を確認する情報送信装置の送信情報確認方法、及びそれに用いる検証装置、情報送信装置及び送信情報確認システムを提供することが可能となる。
【図面の簡単な説明】
【００１１】
【図１】実施例１における位置情報送信システムの概略構成図である。
【図２】実施例１における位置情報送信システムを構成する位置情報送信装置の概略構成図である。
【図３】実施例１における位置情報送信システムを構成する検証装置の概略構成図である。
【図４】実施例１における位置情報送信システムを構成する設定装置の概略構成図である。
【図５】実施例１に係る位置情報送信システムにおける位置情報送信装置の初期設定フローチャートである。
【図６】実施例１に係る位置情報送信システムにおける位置情報送信装置の初期設定フローチャートである。
【図７】実施例１に係る位置情報送信システムにおける情報管理リストのデータフォーマットである。
【図８】実施例２に係るウェアラブル端末システムの概略構成図である。
【図９】実施例２に係るウェアラブル端末システムを構成するウェアラブル端末装置の概略構成図である。
【図１０】実施例２におけるウェアラブル端末システムを構成する検証装置の概略構成図である。
【図１１】実施例２に係るウェアラブル端末システムにおけるウェアラブル端末装置の初期設定フローチャートである。
【図１２】実施例３におけるＲＦＩＤシステムの概略構成図である。
【図１３】実施例３におけるＲＦＩＤシステムを構成するＲＦＩＤ装置の概略構成図である。
【図１４】実施例３におけるＲＦＩＤシステムを構成する検証装置の概略構成図である。
【図１５】実施例３に係るＲＦＩＤシステムにおけるＲＦＩＤ装置の初期設定フローチャートである。
【発明を実施するための形態】
【００１２】
以下、図面を用いて本発明の実施例を詳細に説明する。
【実施例１】
【００１３】
本実施例は、情報送信装置として位置情報送信装置を例にあげ、送信情報である位置情報の真正性を確認する方法、装置について説明する。
【００１４】
図１は、本実施例における位置情報送信システムの概略構成図である。図１において、１０１は位置情報送信装置である。１０２は、位置情報送信装置１０１に対し、所定の動作を行なうよう設定指示を行なう設定装置である。１０３は、位置情報送信装置１０１が所定の動作設定であるか、所定の設置状態にあるか等を検証する検証装置である。１０４は、設定装置１０２、検証装置１０３を介し、位置情報送信装置１０１が所定の動作設定であるか、所定の設置状態にあるか等を管理する、管理サーバである。１０５は、管理サーバ１０４、設定装置１０２、検証装置１０３を接続するネットワークである。ネットワーク１０５は、位置情報送信システムの管理形態に応じ、ローカルエリア網であってもよいし広域網であってもよい。
【００１５】
１０６は、位置情報送信装置１０１から検証装置１０３を受信対象として含み送信される位置情報からなる通信情報である。１０７は、位置情報送信装置１０１、検証装置１０３間での双方向通信で送受信される機器認証情報からなる通信情報である。
【００１６】
１０８は、位置情報送信装置１０１が設置されている設置位置を示す物理的設置状態であり、その設置状態１０８を、検証装置１０３が、例えば、画像認識やレーザ、超音波等による３次元測量などの技術に基づき計測することで取得される計測情報が１０９となる。
【００１７】
１１０は、位置情報送信装置１０１、設定装置１０２間での双方向通信で送受信される位置情報送信装置１０１の設定情報からなる通信情報である。１１１は、管理サーバ１０４、設定装置１０２、検証装置１０３がネットワーク１０５を介してやり取りする通信情報である。１１２は、位置情報受信装置である。１１３は、位置情報送信装置１０１から位置情報受信装置１１２を受信対象として含み送信される位置情報からなる通信情報である。なお、図１において、受信対象を明示する目的から、通信情報１０６、通信情報１１３を別々に図示しているが、位置情報送信装置１０１からは送信される位置情報は同一である。
【００１８】
また、図１において、位置情報送信装置１０１をひとつだけ図示しているが、本実施例における位置情報送信システムは、多くの場合、複数の位置情報送信装置１０１を含んで構成される。位置情報送信装置１０１を例えば、屋内空間の天井部位に一定間隔で格子状に設置し、各々の位置情報送信装置１０１から適切な位置情報１１３を送信することで、当該屋内空間の床面を移動する位置情報受信装置１１２が、自身の位置を認識できるようにするものである。また、本実施例における位置情報送信の仕組みは、何らかの特定の仕様、例えばＩＭＥＳ方式などに特定するものではなく、Ｗｉ-Ｆｉ（登録商標）やＢｌｕｅｔｏｏｔｈ（登録商標）のビーコンを利用したものなど、その送信の仕組みの選定は任意である。
【００１９】
図２は、本実施例における位置情報送信システムを構成する位置情報送信装置１０１の概略構成図である。図２において、２０１は、例えば、ＣＰＵなどの、所定のプログラムに基づき所定の情報処理を行なう情報処理部である。２０２は、例えば、ＳＲＡＭ、フラッシュＲＯＭなどの、プログラムやデータの保持を行なう記憶部である。ここでは簡単化のために揮発性メモリ、不揮発性メモリの区別は図示しておらず、保持されるプログラム、データの必要な保持期間に応じ適切なデバイスで構成されるものとする。２０３は、情報処理部２０１の指示に基づき、位置情報送信部２０４、無線通信部２０５を制御する制御部である。２０４は、位置情報からなる通信情報１０６及び１１３を送信する位置情報送信部である。２０５は、機器認証情報からなる通信情報１０７及び設定情報１１０をやり取りする無線通信部である。尚、上記２０１から２０５の記載は、位置情報送信装置１０１に具備されるべき機能部を示したものであり、ハードウェア、ソフトウェアなどの実現手段は問わない。
【００２０】
２０６は、記憶部２０２に保持される装置ＩＤである。装置ＩＤ２０６は位置情報送信装置１０１毎に唯一付与されるものである。２０７は、記憶部２０２に保持される位置情報である。位置情報２０７は、異なる設置位置に設置された位置情報送信装置１０１であれば異なる値が付与されるものである。
【００２１】
上記構成に基づき、位置情報送信装置１０１は所定の設置位置に固定的に設置され、所定の無線方式に基づき、他の装置と双方向の無線通信を行ない、所定の設定情報を設定される。又、所定の無線方式に基づき、当該設置位置に該当する位置情報を送信する機能を具備する。
【００２２】
図３は、本実施例における位置情報送信システムを構成する検証装置１０３の概略構成図である。図３において、３０１は、例えば、ＣＰＵなどの、所定のプログラムに基づき所定の情報処理を行なう情報処理部である。３０２は、例えば、ＳＲＡＭ、フラッシュＲＯＭなどの、プログラムやデータの保持を行なう記憶部である。ここでは簡単化のために揮発性メモリ、不揮発性メモリの区別は図示しておらず、保持されるプログラム、データの必要な保持期間に応じ適切なデバイスで構成されるものとする。３０３は、情報処理部３０１の指示に基づき、位置情報送信部３０４、無線通信部３０５、物理計測部３０６、通信部３０７を制御する制御部である。３０４は、位置情報からなる通信情報１０６を受信する位置情報受信部である。３０５は、機器認証情報からなる通信情報１０７をやり取りする無線通信部である。尚、上記３０１から３０５の記載は、２０１から２０５同様、ハードウェア、ソフトウェアなどの実現手段は問わない。
【００２３】
３０６は、位置計測する際に取得される計測情報１０９を入力として位置計測を行なう物理計測部である。３０７は、ネットワーク１０５を介して管理サーバ１０４と通信情報１１１をやり取りする通信部である。
【００２４】
上記構成に基づき、検証装置１０３は、位置情報送信装置１０１が所定の設置位置に設置されているか、当該設置位置に該当する位置情報を送信しているかを確認し、当該確認結果を、ネットワーク１０５を介して管理サーバ１０４に送信する機能を具備する。
【００２５】
図４は、本実施例における位置情報送信システムを構成する設定装置１０２の概略構成図である。図４において、３０１、３０２、３０３、３０５、３０７は、図３に示したものと同様の機能を有する。ここでは、その説明を省略する。
【００２６】
上記構成に基づき、設定装置１０２は、ネットワーク１０５を介した管理サーバ１０４の支持に基づき、位置情報送信装置１０１に対し、所定の設置位置に該当する位置情報を送信するよう設定指示を行なう機能を具備する。尚、図１においては、設定装置１０２、検証装置１０３を別の装置として記載しているが、図３、図４の説明から分かる通り、機能的な重なりが多く、物理的な一つの装置実体に、設定装置１０２、検証装置１０３の機能を具備した装置を用いてもよい。
【００２７】
図５は、本実施例に係る位置情報送信システムにおける、位置情報送信装置の初期設定フローチャートの一例である。図５において、まず、ステップＳ５０１で、位置情報送信装置１０１、設定装置１０２は所定の暗号アルゴリズムに基づいた相互認証プロトコルにより、互いに相手装置を正当なものであるかを確認する。ここで、相互認証プロトコルは、共通鍵暗号技術に基づいたもの、公開鍵暗号技術に基づいたものなど、その種類は任意であり、又、暗号通信、暗号処理、秘密情報の保持など、当該相互認証プロトコルの実現に必要な機能は、図中明示しないが、当該機能の具備を必要とする装置類に具備されているものとする。尚、本フローチャートでは後段でも相互認証プロトコルに基づくやり取りを行なうステップが出てくるが、必要機能の具備については同様である。
【００２８】
設定装置１０２は、位置情報送信装置１０１に対し、所定のコマンド、設定値などを送信することで、位置情報送信装置１０１が試運転に必要な設定を開始することを指示する（Ｓ５０２）。ここで、試運転とは、位置情報送信装置１０１があらかじめ記憶部２０２に保持する位置情報２０７を含んだ位置情報１０６、１１３の送信を開始することをさす。尚、試運転状態は、上記手順により開始されると共に、例えば、所定の試運転時間が経過した後に試運転状態を無効化する処理や、当該試運転時間内に、適切な通信相手、例えば、管理サーバ１０４や検証装置１０３と適切な通信が実現できない場合に試運転状態を無効化する処理、又は、設定装置１０２から試運転停止指示を受けることにより無効化する処理など、試運転の開始後、位置情報１０６、１１３を送信し続けることのない制御がなされる。
【００２９】
位置情報送信装置１０１は、Ｓ５０２で受信したコマンド、設定値を所定の認証手段で確認し（Ｓ５０３）、正当であれば試運転の開始、即ち位置情報１０６、１１３の送信を開始し（Ｓ５０４）、正当でなければ何もしない（Ｓ５０５）。
【００３０】
以降は、Ｓ５０４に遷移した場合のステップについて説明する。
【００３１】
検証装置１０３は、Ｓ５０６で、計測対象とする所定の位置情報送信装置１０１が設置されるべき所定の設置計画である設置位置をあらかじめ記憶部３０２に保持しており、当該位置情報送信装置１０１の設置状態を観測、検証するのに適切な観測位置に配置される。そして、Ｓ５０７で、位置情報送信装置１０１、検証装置１０３は所定の暗号アルゴリズムに基づいた相互認証プロトコルにより、互いに相手装置を正当なものであるかを確認する。
【００３２】
検証装置１０３は、物理計測部３０６を用い、所定の位置情報送信装置１０１の設置状態を観測し、当該位置情報送信装置１０１がどこに設置されているのかを把握する（Ｓ５０８）。位置情報送信装置１０１は、試運転開始に伴い、記憶部に保持されている位置情報１０６を送信する（Ｓ５０９）。検証装置１０３は、位置情報受信部３０４を介し位置情報１０６を受信する（Ｓ５１０）。検証装置１０３は、所定の位置情報送信装置１０１が設置されるべき設置位置情報１０６とＳ５０８で得られた当該位置情報送信装置１０１の計測情報である設置位置を照合し、照合結果を得る（Ｓ５１１）。ここで、設置位置の照合については、例えば下記のような方法を用いてもよい。すなわち、位置情報送信装置１０１は、所定の設置位置に設置され、当該設置位置を示す位置情報１０６もしくは１１３を送信するものである。検証装置１０３は、本フローチャートに示す処理に先立ち、所定の位置情報送信装置１０１が設置されるべき設置位置を所定の設置計画として保持し、当該設置計画を示す情報と、ステップ５１０で受信した位置情報１０６との一致比較により照合を行なってもよい。
【００３３】
なお、照合における一致比較に際しては、位置情報送信装置１０１の設置位置の許容誤差を考慮し、比較結果がある一定の範囲内に収まっていれば一致とする判断でもよい。
【００３４】
検証装置１０３、管理サーバ１０４は、Ｓ５１２で、所定の暗号アルゴリズムに基づいた相互認証プロトコルにより、互いに相手装置を正当なものであるかを確認する。検証装置１０３は、Ｓ５１１で得られた照合結果を、ネットワーク１０５を介し、管理サーバ１０４に送信する（５１３）。
【００３５】
管理サーバ１０４は、Ｓ５１３で、受信した照合結果を確認し、照合結果が合致していれば通常運転許可を、合致していなければ通常運転不許可通知を準備する（Ｓ５１４）。通常運転においては、位置情報送信装置１０１が位置情報１０６、１１３を送信し続ける制御がなされる。
【００３６】
設定装置１０２、管理サーバ１０４は、Ｓ５１５で、所定の暗号アルゴリズムに基づいた相互認証プロトコルにより、互いに相手装置を正当なものであるかを確認する。そして、  管理サーバ１０４は、Ｓ５１４で準備した通常運転許可、又は、通常運転不許可通知を設定装置１０２に送信する（Ｓ５１６）。設定装置１０２は、Ｓ５１６で受信した通常運転許可、又は、通常運転不許可通知に基づき、位置情報送信装置１０１に対して、所定のコマンド、設定値などを送信することで、当該位置情報送信装置１０１が通常運転に必要な設定を開始することを指示する（Ｓ５１７）。
【００３７】
位置情報送信装置１０１は、Ｓ５１７で受信したコマンド、設定値を所定の認証手段で確認し（Ｓ５１８）、正当であれば通常運転の開始、即ち位置情報１０６、１１３の送信を開始し（Ｓ５１９）、正当でなければ位置情報の送信を停止する（Ｓ５２０）。
【００３８】
以上のフローチャートに従い、管理サーバ１０４が位置情報送信装置１０１の運転許可を行なうことで、当該位置情報送信装置１０１が、実際の設置位置に基づいた管理をすることが可能な位置情報送信システムを提供できる。
【００３９】
図６は、本実施例に係る位置情報送信システムにおける、位置情報送信装置の初期設定フローチャートの他の例である。図６のフローチャートは、図５に示したステップと同様の処理の組合せで実現されるが、下記の点が図５と異なる。すなわち、位置情報送信装置１０１は、図５のＳ５０１からＳ５０５に示した試運転開始のステップを行なわず、検証装置１０３は、Ｓ５０７の認証により当該位置情報送信装置１０１が認識できるので、その設置位置情報を予め保持しておけば、その当該位置情報送信装置１０１の設置位置情報を把握できる。よって、Ｓ５０９、Ｓ５１０を不要とし、Ｓ５０８、Ｓ５１１により、検証装置１０３は、所定の位置情報送信装置１０１が設置されるべき予め保持した設置位置とＳ５０８で得られた当該位置情報送信装置１０１の計測情報である設置位置を照合し、照合結果を得ることができる。
【００４０】
そして、その照合結果情報に基づき、管理サーバ１０４は、当該設置位置に対応する位置情報の送信許可を、当該位置情報送信装置１０１に対して行なうものである（Ｓ５１２からＳ５１９）。
【００４１】
当該フローによれば、位置情報送信装置１０１は、正当な通常運転設定許可を受けるまでは位置情報送信を行なわない。即ち、図５に示したフローに加えて更に、位置情報送信装置１０１の試運転時の不具合によって生じる不正な位置情報の送信リスクを更に低減する効果が得られる。尚、図６のフローに従う場合においては、検証装置１０３は位置情報受信部３０４を必ずしも具備しなくともよい。
【００４２】
図７は、本実施例に係る位置情報送信システムにおける、情報管理リストのデータフォーマットの一例である。検証装置１０３、管理サーバ１０４は、位置情報送信装置１０１の設定状態の妥当性を判断するために、図７に示すデータをやり取りする。当該データ中、装置ＩＤと位置情報は、任意の位置情報送信装置１０１から機器認証情報１０７及び位置情報１０６として得られるものであり、観測された位置情報は計測情報１０９として得られるものである。検証装置１０３、又は管理サーバ１０４において、管理対象となる特定の位置情報送信装置１０１を装置ＩＤで特定し、対応する情報管理リスト上の、位置情報と観測された位置情報エントリを比較することで当該位置情報送信装置１０１の設置位置の正否を照合判断することが可能となる。
【００４３】
以上のように、本実施例は、情報送信装置が送信する送信情報の真正性を確認する送信情報確認方法であって、情報送信装置の物理的設置状態を計測し、情報送信装置の所定の設置計画と計測した物理的設置状態とを照合し、情報送信装置が設置計画に該当する送信情報を送信していることを確認した上で、情報送信装置に送信情報の送信を許可するように構成する。すなわち、情報送信装置は位置情報送信装置であり、送信情報は位置情報であり、物理的設置状態は設置位置であり、位置情報送信装置の設置位置を計測し、位置情報送信装置の所定の設置位置と計測した設置位置とを照合し、位置情報送信装置が設置位置に該当する送信情報を送信していることを確認した上で、位置情報送信装置に送信情報の送信を許可するように構成する。
【００４４】
また、情報送信装置が送信する送信情報の真正性を確認する検証装置であって、情報送信装置の物理的設置状態を計測する物理計測部と、情報送信装置から当該情報送信装置の設置計画を受信する設置計画受信部と、物理計測部で計測した物理的設置状態と設置計画受信部が受信した当該情報送信装置の設置計画とを照合する情報処理部を有する構成とする。すなわち、情報送信装置は位置情報送信装置であり、送信情報は位置情報であり、物理的設置状態は設置位置であり、物理計測部は位置情報送信装置の設置位置を計測し、設置計画受信部は位置情報送信装置から当該位置情報送信装置の位置情報を受信し、情報処理部は、物理計測部で計測した位置情報送信装置の設置位置と設置計画受信部が受信した当該位置情報送信装置の位置情報とを照合する構成とする。
【００４５】
また、情報送信装置と、情報送信装置が送信する送信情報の真正性を確認する検証装置と、情報送信装置に設定情報を送信する設定装置を有する送信情報確認システムに用いられる情報送信装置であって、検証装置に当該情報送信装置の設置計画を送信する設置計画送信部と、検証装置と機器認証情報を送受信し、設定装置から設定情報を受信する無線通信部と、無線通信部で受信した設定情報が送信情報を送信することを許可する許可通知であるかを判断する情報処理部と、設定情報が許可通知の場合に送信情報を送信するように制御する制御部を有する構成とする。すなわち、情報送信装置は位置情報送信装置であり、送信情報は位置情報であり、設置計画送信部は、位置情報送信部であり、検証装置に当該位置情報送信装置の位置情報を送信する構成とする。
【００４６】
また、情報送信装置と、情報送信装置が送信する送信情報の真正性を確認する検証装置と、情報送信装置に設定情報を送信する設定装置と、管理サーバを有する送信情報確認システムであって、検証装置は、情報送信装置の物理的設置状態を計測する物理計測部と、情報送信装置から当該情報送信装置の設置計画を受信する設置計画受信部と、物理計測部で計測した物理的設置状態と設置計画受信部が受信した当該情報送信装置の設置計画とを照合する情報処理部と、管理サーバとの通信を行う通信部を有し、情報送信装置は、検証装置に当該情報送信装置の設置計画を送信する設置計画送信部と、検証装置と機器認証情報を送受信し、設定装置から設定情報を受信する無線通信部と、無線通信部で受信した設定情報が送信情報を送信することを許可する許可通知であるかを判断する情報処理部と、設定情報が許可通知の場合に送信情報を送信するように制御する制御部を有し、管理サーバは、検証装置の照合結果を通信部を介して受信し、照合結果を基に設定装置を介して設定情報により情報送信装置から送信情報を送信することを許可する許可通知を送信する構成とする。すなわち、情報送信装置は位置情報送信装置であり、送信情報は位置情報であり、物理的設置状態は設置位置であり、物理計測部は位置情報送信装置の設置位置を計測し、設置計画受信部は位置情報送信装置から当該位置情報送信装置の位置情報を受信し、情報処理部は、物理計測部で計測した位置情報送信装置の設置位置と設置計画受信部が受信した当該位置情報送信装置の位置情報とを照合し、設置計画送信部は、位置情報送信部であり、検証装置に当該位置情報送信装置の位置情報を送信する構成とする。
【００４７】
以上、本実施例によれば、送信情報の真正性を確認する情報送信装置の送信情報確認方法、及びそれに用いる検証装置、情報送信装置及び送信情報確認システムを提供することが可能となる。
【００４８】
また、管理サーバ１０４が位置情報送信装置１０１の運転許可を行なうことで、当該位置情報送信装置１０１が、実際の設置位置に基づいた管理をすることが可能な位置情報送信システムを提供できる。
【００４９】
また、位置情報送信装置の設置状態、及び初期設定を確認する手段及び確認するシステムを提供することができる。
【実施例２】
【００５０】
本実施例は、情報送信装置としてウェアラブル端末装置を例にあげ、送信情報である計測値の真正性を確認する方法、装置について説明する。
【００５１】
図８は、本実施例におけるウェアラブル端末システムの概略構成図である。図８において、８０１は本実施例におけるウェアラブル端末装置である。８０２は、ウェアラブル端末装置８０１から検証装置８０５を受信対象として含み送信される計測値からなる通信情報である。８０３は、ウェアラブル端末装置８０１の物理的設置状態を示しており、ウェアラブル端末装置８０１が任意のユーザに装着されている状態を示す装着状態である。８０４は、ウェアラブル端末装置８０１が装着状態８０３を、例えば生体認証などの技術に基づきユーザの検証を実施する際に取得される計測情報である。８０５は、ウェアラブル端末装置８０１が所定の動作設定であるか、所定の装着状態にあるか等を検証する検証装置である。
【００５２】
図８において、１０２、１０４、１０５、１０７、１１０、１１１は図1に示したものと基本的には同一であるが、図１において位置情報に関わる通信、処理を行なうとしたものは、本図において、適宜、生体計測に関わる通信、処理と読み替えるものとする。
【００５３】
図９は、本実施例におけるウェアラブル端末システムを構成するウェアラブル端末装置８０１の概略構成図である。図９において、９０１は、センサ機能を具備し、例えば加速度、温度、湿度、緯度、経度、高度などのセンサ機能により、ウェアラブル端末装置８０１、またはそのユーザの何らかの状態を計測する計測部である。９０２は、計測情報からなる通信情報８０２を送信する計測値送信部である。また、２０１から２０３及び２０５、１０７、１１０は、図２に示したものと基本的に同一であり、説明は省略する。なお、図２において位置情報に関わる通信、処理を行なうとしたものは、図９において、適宜、生体計測に関わる通信、処理と読み替えるものとする。
【００５４】
上記構成に基づき、ウェアラブル端末装置８０１は、例えば特定のユーザが何らかの方法で身に装着して用いるものであり、計測部９０１の機能により、例えば、当該ユーザの運動状態や所在位置などから健康状態や社会的な活動状況などを検知する機能を具備する。
【００５５】
図１０は、本実施例におけるウェアラブル端末システムを構成する検証装置８０５の概略構成図である。図１０において、１００１は、計測情報からなる通信情報８０２を受信する計測値受信部である。１００２は、例えば生体計測する際に取得される計測情報８０４を入力として物理計測を行なう物理計測部である。また、３０１から３０３及び３０５、３０７、１０７、１１１は、図３に示したものと基本的に同一であり、説明は省略する。なお、図３において位置情報に関わる通信、処理を行なうとしたものは、図１０において、適宜、生体計測に関わる通信、処理と読み替えるものとする。
【００５６】
上記構成に基づき、検証装置８０５は、ウェアラブル端末装置８０１が、所定の計測対象となるユーザに正しく装着されているか、当該装着対象に関わる計測値情報を送信しているかを確認し、当該確認結果を、ネットワーク１０５を介して管理サーバ１０４に送信する機能を具備する。
【００５７】
図１１は、本実施例に係るウェアラブル端末システムにおける、ウェアラブル端末装置の初期設定フローチャートの一例である。図１１のフローチャートは、図６に示したステップと同様の処理の組合せで実現されるが、下記の点が図６と異なる。まず、図６における位置情報送信装置１０１、検証装置１０３の動作は、各々ウェアラブル端末装置８０１、検証装置８０５の動作となる。又、４つのステップ（Ｓ５０６、Ｓ５０８、Ｓ５１１、Ｓ５１９）を各々下記の４つのステップ（Ｓ１１０１、Ｓ１１０２、Ｓ１１０３、Ｓ１１０４）に置き換える。
【００５８】
すなわち、検証装置８０５は、Ｓ１１０１において、計測対象とする所定のウェアラブル端末装置８０１が、所定の設置計画である、装着されるべきユーザに関する情報をあらかじめ記憶部３０２に保持しており、当該ウェアラブル端末装置８０１の装着状態を観測、検証するのに適切な観測位置に配置される。そして、物理計測部１００２を用い、所定のウェアラブル端末装置８０１の装着状態を観測し、当該ウェアラブル端末装置８０１がどんなユーザに装着されているのかを把握する（Ｓ１１０２）。そして、検証装置８０５は、所定のウェアラブル端末装置８０１が装着されるべきユーザに関する情報とＳ１１０２で得られた当該ウェアラブル端末装置８０１の装着状況を照合し、照合結果を得る（Ｓ１１０３）。ここで、装着状態の照合については、例えば下記のような方法を用いてもよい。ウェアラブル端末装置８０１は、所定のユーザに装着され、当該ユーザに関する計測情報８０２を送信するものである。検証装置８０５は、本フローチャートに示す処理に先立ち、所定のウェアラブル端末装置８０１が装着されるべきユーザに関する何らかの生体計測情報を、当該ユーザについての所定の装着計画として保持し、当該装着計画を示す情報と、ステップ１１０２で計測した装着状態観測結果との一致比較により照合を行なってもよい。
【００５９】
なお、照合における一致比較に際しては、生体計測情報のゆらぎを考慮し、比較結果がある一定の範囲内に収まっていれば一致とする判断でもよい。
【００６０】
上記照合結果情報に基づき、管理サーバ１０４は、当該ユーザに対する計測情報の送信許可を、当該ウェアラブル端末装置８０１に対して行なうものである（Ｓ５１２からＳ５１８、及びＳ１１０４）。
【００６１】
以上のフローチャートに従い、管理サーバ１０４がウェアラブル端末装置８０１の計測情報送信許可を行なうことで、当該ウェアラブル端末装置８０１が、所定のユーザを計測対象として動作を開始することが可能なウェアラブル端末システムを提供可能である。
【００６２】
これにより、例えば、ウェアラブル端末装置８０１の計測対象となるユーザの生体情報、例えば指紋、静脈パターン、虹彩パターンなどをあらかじめ計測し、同計測データを検証装置８０５が事前に保持しておくことで、検証装置８０５は、ステップ５０７でウェアラブル端末装置８０１の真正性を確認し、尚且つ、ステップ１１０２、１１０３で、ウェアラブル端末装置８０１の計測対象となるユーザであるか否かを、生体認証手段に基づき認証することで、ウェアラブル端末装置８０１が所定のユーザを計測対象とすることを確実に行なうことが可能となる。
【００６３】
以上のように、本実施例は、ウェアラブル端末装置が送信する計測値の真正性を確認する送信情報確認方法であって、ウェアラブル端末装置の装着状態を計測し、ウェアラブル端末装置の所定の装着状態と計測した装着状態とを照合し、ウェアラブル端末装置が装着状態に該当する計測値を送信していることを確認した上で、ウェアラブル端末装置に計測値の送信を許可するように構成する。
【００６４】
また、ウェアラブル端末装置が送信する計測値の真正性を確認する検証装置であって、ウェアラブル端末装置の装着状態を計測する物理計測部と、ウェアラブル端末装置から当該ウェアラブル端末装置の装着状態を受信する計測値受信部と、物理計測部で計測した装着状態と計測値受信部が受信した当該ウェアラブル端末装置の装着状態とを照合する情報処理部を有する構成とする。
【００６５】
また、ウェアラブル端末装置と、ウェアラブル端末装置が送信する計測値の真正性を確認する検証装置と、ウェアラブル端末装置に設定情報を送信する設定装置を有する送信情報確認システムに用いられるウェアラブル端末装置であって、検証装置に当該ウェアラブル端末装置の計測値を送信する計測値送信部と、検証装置と機器認証情報を送受信し、設定装置から設定情報を受信する無線通信部と、無線通信部で受信した設定情報が計測値を送信することを許可する許可通知であるかを判断する情報処理部と、設定情報が許可通知の場合に計測値を送信するように制御する制御部を有する構成とする。
【００６６】
また、ウェアラブル端末装置と、ウェアラブル端末装置が送信する計測値の真正性を確認する検証装置と、ウェアラブル端末装置に設定情報を送信する設定装置と、管理サーバを有する送信情報確認システムであって、検証装置は、ウェアラブル端末装置の装着状態を計測する物理計測部と、ウェアラブル端末装置から当該ウェアラブル端末装置の計測値を受信する計測値受信部と、物理計測部で計測した装着状態と計測値受信部が受信した当該ウェアラブル端末装置の計測値とを照合する情報処理部と、管理サーバとの通信を行う通信部を有し、ウェアラブル端末装置は、検証装置に当該ウェアラブル端末装置の計測値を送信する計測値送信部と、検証装置と機器認証情報を送受信し、設定装置から設定情報を受信する無線通信部と、無線通信部で受信した設定情報が計測値を送信することを許可する許可通知であるかを判断する情報処理部と、設定情報が許可通知の場合に計測値を送信するように制御する制御部を有し、管理サーバは、検証装置の照合結果を通信部を介して受信し、照合結果を基に設定装置を介して設定情報によりウェアラブル端末装置から計測値を送信することを許可する許可通知を送信する構成とする。
【００６７】
これにより、ウェアラブル端末装置の実際の装着状態に基づいた管理をすることが可能な送信情報確認システムを提供することが可能となる。
【実施例３】
【００６８】
本実施例は、情報送信装置としてＲＦＩＤ装置を例にあげ、送信情報であるＩＤ情報の真正性を確認する方法、装置について説明する。
【００６９】
図１２は、本実施例におけるＲＦＩＤシステムの概略構成図である。図１２において、１２０１は、本実施例におけるＲＦＩＤ装置である。１２０２は、ＲＦＩＤ装置１２０１から検証装置１２０５を受信対象として含み送信される何らかのＩＤ情報からなる通信情報である。１２０３は、ＲＦＩＤ装置１２０１の物理的設置状態を示しており、ＲＦＩＤ装置１２０１が任意のＩＤ対象と連結されている状態を示す連結状態である。１２０４は、ＲＦＩＤ装置１２０１とＩＤ対象との連結状態１２０３を、例えば画像認識などの技術に基づき検証を実施する際に取得される計測情報である。
【００７０】
１２０５は、ＲＦＩＤ装置１２０１が所定の動作設定であるか、所定の連結状態にあるか等を検証する検証装置である。
【００７１】
図１２において、１０２、１０４、１０５、１０７、１１０、１１１は図1に示したものと基本的には同一であるが、図１において位置情報に関わる通信、処理を行なうとしたものは、本図において、適宜、ＲＦＩＤとＩＤ対象との連結状態の計測に関わる通信、処理と読み替えるものとする。
【００７２】
図１３は、本実施例におけるＲＦＩＤシステムを構成するＲＦＩＤ装置１２０１の概略構成図である。図１３において、１３０１は、ＲＦＩＤ装置１２０１を一意に特定するための何らかの装置ＩＤを送信するＩＤ情報送信部である。１３０２は、記憶部２０２に保管される、ＩＤ情報送信部１３０１の送信対象となる所定の装置ＩＤである。また、２０１から２０３及び２０５、１０７、１１０は、図２に示したものと基本的に同一であり、説明は省略する。なお、図２において位置情報に関わる通信、処理を行なうとしたものは、図１３において、適宜、ＲＦＩＤとＩＤ対象との連結状態の計測に関わる通信、処理と読み替えるものとする。
【００７３】
上記構成に基づき、ＲＦＩＤ装置１２０１は、例えばＩＤ対象となる特定の物品などと何らかの手段により一定の連結状態に置かれるものであり、ＩＤ情報送信部１３０１の機能により、例えば、当該物品の管理ＩＤを送出する機能を具備する。これにより、例えば、何らかの管理対象となる機材や記録メディア、書類を保管したファイルなどに、当該機材などの管理番号となる、装置ＩＤ１３０２を保管したＲＦＩＤ装置１２０１を確実に貼付することで、ＲＦＩＤ装置１２０１の所在を確認し、貼付対象となった機材などの管理を行なうことを可能とするシステムの構築が可能である。
【００７４】
図１４は、本実施例におけるＲＦＩＤシステムを構成する検証装置１２０５の概略構成図である。図１４において、１４０１は、何らかのＩＤ情報からなる通信情報１２０２を受信するＩＤ情報受信部である。１４０２は、例えば画像認識などの技術に基づき検証を実施する際に取得される計測情報１２０４を入力として何らかの物理計測を行なう物理計測部である。また、３０１から３０３及び３０５、３０７、１０７、１１１は、図３に示したものと基本的に同一であり、説明は省略する。なお、図３において位置情報に関わる通信、処理を行なうとしたものは、図１４において、適宜、ＲＦＩＤの連結状態の確認に関わる通信、処理と読み替えるものとする。
【００７５】
上記構成に基づき、検証装置１２０５は、ＲＦＩＤ装置１２０１が、ＩＤ対象となる所定の物品などと正しく連結されているか、当該連結状況に関わるＩＤ情報を送信しているかを確認し、当該確認結果を、ネットワーク１０５を介して管理サーバ１０４に送信する機能を具備する。
【００７６】
図１５は、本実施例に係るＲＦＩＤシステムにおける、ＲＦＩＤ装置の初期設定フローチャートの一例である。図１５のフローチャートは、図６に示したステップと同様の処理の組合せで実現されるが、下記の点が図６と異なる。まず、図６における位置情報送信装置１０１、検証装置１０３の動作は、各々ＲＦＩＤ装置１２０１、検証装置１２０５の動作となる。又、４つのステップ（Ｓ５０６、Ｓ５０８、Ｓ５１１、Ｓ５１９）を各々下記の４つのステップ（Ｓ１５０１、Ｓ１５０２、Ｓ１５０３、Ｓ１５０４）に置き換える。
【００７７】
すなわち、検証装置１２０５は、Ｓ１５０１で、計測対象とする所定のＲＦＩＤ装置１２０１が、所定の設置計画である、装着されるべきＩＤ対象物品に関する情報をあらかじめ記憶部３０２に保持しており、当該ＲＦＩＤ装置１２０１との連結状態を観測、検証するのに適切な観測位置に配置される。そして、物理計測部１４０２を用い、所定のＲＦＩＤ装置１２０１との連結状態を観測し、当該ＲＦＩＤ装置１２０１がどんな物品と連結されているのかを把握する（Ｓ１５０２）。そして、検証装置１２０５は、所定のＲＦＩＤ装置１２０１が連結されるべき物品に関する情報とＳ１５０２で得られた当該ＲＦＩＤ装置１２０１との連結状況を照合し、照合結果を得る（Ｓ１５０３）。ここで、連結状況の照合については、例えば下記のような方法を用いてもよい。ＲＦＩＤ装置１２０１は、所定のＩＤ対象物品と連結され、当該ＩＤ対象物品にバインドされたＩＤ情報１２０２を送信するものである。検証装置１２０５は、本フローチャートに示す処理に先立ち、所定のＲＦＩＤ装置１２０１が連結されるべきＩＤ対象物品に関する何らかの情報、例えば、当該ＩＤ対象物品の外形を示す画像情報を、当該ＩＤ対象物品についての所定の連結計画として保持し、当該連結計画を示す情報と、ステップ１５０２で計測した連結状態観測結果との一致比較により照合を行なってもよい。
【００７８】
なお、照合における一致比較に際しては、例えば、用いる画像認識技術の認識精度に依存し、比較結果がある一定の範囲内に収まっていれば一致とする判断でもよい。
【００７９】
上記照合結果情報に基づき、管理サーバ１０４は、当該物品に関するＩＤ情報の送信許可を、当該ＲＦＩＤ装置１２０１に対して行なうものである（Ｓ５１２からＳ５１８、及びＳ１５０４）。
【００８０】
以上のフローチャートに従い、管理サーバ１０４がＲＦＩＤ装置１２０１のＩＤ情報送信許可を行なうことで、当該ＲＦＩＤ装置１２０１が、所定の物品をＩＤ対象として動作を開始することが可能なＲＦＩＤシステムを提供可能である。これにより、例えば、ＲＦＩＤ装置１２０１の連結対象となる物品の、例えば画像データパターンなどをあらかじめ計測し、同計測データを検証装置１２０５が事前に保持しておくことで、検証装置１２０５は、ステップ５０７でＲＦＩＤ装置１２０１の真正性を確認し、尚且つ、ステップ１５０２、１５０３で、ＲＦＩＤ装置１２０１の連結対象となる物品であるか否かを、画像認識などの手段に基づき認証することで、ＲＦＩＤ装置１２０１が所定の物品を連結対象とすることを確実にすることが可能である。
【００８１】
以上のように、本実施例は、ＲＦＩＤ装置が送信するＩＤ情報の真正性を確認する送信情報確認方法であって、ＲＦＩＤ装置のＩＤ対象との連結状態を計測し、ＲＦＩＤ装置の所定のＩＤ対象との連結状態と計測したＩＤ情報とを照合し、ＲＦＩＤ装置がＩＤ対象との連結状態に該当するＩＤ情報を送信していることを確認した上で、ＲＦＩＤ装置にＩＤ情報の送信を許可するように構成する。
【００８２】
また、ＲＦＩＤ装置が送信するＩＤ情報の真正性を確認する検証装置であって、ＲＦＩＤ装置のＩＤ対象との連結状態を計測する物理計測部と、ＲＦＩＤ装置から当該ＲＦＩＤ装置のＩＤ情報を受信する計測値受信部と、物理計測部で計測したＩＤ対象との連結状態と計測値受信部が受信した当該ＲＦＩＤ装置のＩＤ情報とを照合する情報処理部を有する構成とする。
【００８３】
また、ＲＦＩＤ装置と、ＲＦＩＤ装置が送信するＩＤ情報の真正性を確認する検証装置と、ＲＦＩＤ装置に設定情報を送信する設定装置を有する送信情報確認システムに用いられるＲＦＩＤ装置であって、検証装置に当該ＲＦＩＤ装置のＩＤ情報を送信する計測値送信部と、検証装置と機器認証情報を送受信し、設定装置から設定情報を受信する無線通信部と、無線通信部で受信した設定情報がＩＤ情報を送信することを許可する許可通知であるかを判断する情報処理部と、設定情報が許可通知の場合にＩＤ情報を送信するように制御する制御部を有する構成とする。
【００８４】
また、ＲＦＩＤ装置と、ＲＦＩＤ装置が送信するＩＤ情報の真正性を確認する検証装置と、ＲＦＩＤ装置に設定情報を送信する設定装置と、管理サーバを有する送信情報確認システムであって、検証装置は、ＲＦＩＤ装置のＩＤ対象との連結状態を計測する物理計測部と、ＲＦＩＤ装置から当該ＲＦＩＤ装置のＩＤ情報を受信する計測値受信部と、物理計測部で計測したＩＤ対象との連結状態と計測値受信部が受信した当該ＲＦＩＤ装置のＩＤ情報とを照合する情報処理部と、管理サーバとの通信を行う通信部を有し、ＲＦＩＤ装置は、検証装置に当該ＲＦＩＤ装置のＩＤ情報を送信する計測値送信部と、検証装置と機器認証情報を送受信し、設定装置から設定情報を受信する無線通信部と、無線通信部で受信した設定情報がＩＤ情報を送信することを許可する許可通知であるかを判断する情報処理部と、設定情報が許可通知の場合にＩＤ情報を送信するように制御する制御部を有し、管理サーバは、検証装置の照合結果を通信部を介して受信し、照合結果を基に設定装置を介して設定情報によりＲＦＩＤ装置からＩＤ情報を送信することを許可する許可通知を送信する構成とする。
【００８５】
これにより、ＲＦＩＤ装置の実際のＩＤ対象との連結状態に基づいた管理をすることが可能な送信情報確認システムを提供することが可能となる。
【００８６】
以上、本発明によれば、位置情報送信装置が、実際の設置位置に基づいた管理をすることが可能な位置情報送信システムを提供可能である。更には、位置情報送信システムに留まらず、実施例２又は３に示すように、情報送信装置が発する情報が、物理実体との確実な関連を必要とする際に、当該情報送信装置と当該物理実体とどのような関連があるのかを、当該情報送信装置とは別の機能（本実施例では検証装置と呼称）により別途物理計測し、当該物理計測値と当該情報送信装置の識別番号などを合わせて管理することで、実際の物理実体との関連状態に基づいた管理をすることが可能な情報システムを提供可能である。
【００８７】
以上実施例について説明したが、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加、削除、置換をすることが可能である。
【符号の説明】
【００８８】
１０１…位置情報送信装置、１０２…設定装置、１０３…検証装置、１０４…管理サーバ、１０５…ネットワーク、１０６…位置情報、１０７…機器認証情報、１０８…設置状態、１０９…計測情報、１１０…設定情報、１１１…通信情報、１１２…位置情報受信装置、１１３…位置情報、２０１…情報処理部、２０２…記憶部、２０３…制御部、２０４…位置情報送信部、２０５…無線通信部、２０６…装置ＩＤ、２０７…位置情報、３０１…情報処理部、３０２…記憶部、３０３…制御部、３０４…位置情報受信部、３０５…無線通信部、３０６…物理計測部、３０７…通信部、８０１…ウェアラブル端末装置、８０２…計測値、８０３…装着状態、８０４…計測情報、８０５…検証装置、９０１…計測部、１００１…計測値受信部、１００２…物理計測部、１２０１…ＲＦＩＤ装置、１２０２…ＩＤ情報、１２０３…ＩＤ対象との連結状態、１２０４…計測情報、１２０５…検証装置、１３０１…ＩＤ情報送信部、１４０１…ＩＤ情報受信部、１４０２…物理計測部
【図１】
2017033393.tif 000003
【図２】
2017033393.tif 000004
【図３】
2017033393.tif 000005
【図４】
2017033393.tif 000006
【図５】
2017033393.tif 000007
【図６】
2017033393.tif 000008
【図７】
2017033393.tif 000009
【図８】
2017033393.tif 000010
【図９】
2017033393.tif 000011
【図１０】
2017033393.tif 000012
【図１１】
2017033393.tif 000013
【図１２】
2017033393.tif 000014
【図１３】
2017033393.tif 000015
【図１４】
2017033393.tif 000016
【図１５】
2017033393.tif 000017